【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
組合せ薬剤生成物を患者に搬送するのに使用される薬剤ディスペンサであって、
第１薬剤成分を包含する第１薬剤容器と、
前記第１薬剤容器の内容物を放出する第１放出手段と、
少なくとも１つの他の薬剤成分を包含する少なくとも１つの他の薬剤容器と、
各前記少なくとも１つの他の薬剤容器の内容物を放出する少なくとも１つの他の放出手段と、を備え、
前記第１薬剤成分が、組み合わされて搬送するために放出される時点まで、前記少なくとも１つの他の薬剤成分とは分離した状態で保持され、さらに、
前記第１薬剤容器および前記少なくとも１つの他の薬剤容器の内容物の放出を制御する電子制御システムを備える、薬剤ディスペンサ。
【請求項２】
前記第１薬剤成分および前記少なくとも１つの他の薬剤成分は、非同一である、請求項１に記載の薬剤ディスペンサ。
【請求項３】
前記第１薬剤容器および唯一の他の薬剤容器を備える、請求項１または２のどちらかに記載の薬剤ディスペンサ。
【請求項４】
前記第１放出手段および前記少なくとも１つの他の放出手段は、独立して動作可能である、請求項１から３のいずれかに記載の薬剤ディスペンサ。
【請求項５】
前記第１放出手段および前記少なくとも１つの他の放出手段は、連結方式で動作可能である、請求項１から３のいずれかに記載の薬剤ディスペンサ。
【請求項６】
前記第１薬剤容器および前記少なくとも１つの他の薬剤容器のいずれかまたはどちらかが、脱着可能な補給品として薬剤ディスペンサに提供される、請求項１から５のいずれかに記載の薬剤ディスペンサ。
【請求項７】
前記電子制御システムは、制御コマンドを入力する入力手段を含む、請求項１から６のいずれかに記載の薬剤ディスペンサ。
【請求項８】
前記電子制御システムは、患者の病状に関する診断情報を収集する診断システムを含む、請求項１から７のいずれかに記載の薬剤ディスペンサ。
【請求項９】
前記電子制御システムおよび前記診断システムが、一体式である、請求項８に記載の薬剤ディスペンサ。
【請求項１０】
前記診断システムは、薬剤ディスペンサから隔置されており、通信手段が、前記診断システムと前記電子制御システムとの間におけるデータの通信を可能にするために提供される、請求項８に記載の薬剤ディスペンサ。
【請求項１１】
前記電子制御システムと一体式である、または該システムと通信する電子データ管理システムをさらに備える、請求項１から１０のいずれかに記載の薬剤ディスペンサ・システム。
【請求項１２】
前記電子データ管理システムは、データを記憶するメモリと、前記データに対するオペレーションを実施するマイクロプロセッサと、前記データまたは前記データに対するオペレーションの結果に関する信号を送信する送信器とを備える、請求項１１に記載の薬剤ディスペンサ。
【請求項１３】
前記電子データ管理システムは、使用者がデータを前記電子データ管理システムに入力するためのデータ入力システムをさらに備える、請求項１１または１２のどちらかに記載の薬剤ディスペンサ。
【請求項１４】
前記電子データ管理システムから患者にデータを表示する視覚表示ユニットをさらに備える、請求項１１から１３のいずれかに記載の薬剤ディスペンサ。
【請求項１５】
ローカル・データ記憶装置に連結するためのデータリンクをさらに備え、それにより、前記ローカル・データ記憶装置と前記電子データ管理システムとの間におけるデータ通信を可能にする、請求項１１から１４のいずれかに記載の薬剤ディスペンサ。
【請求項１６】
前記第１薬剤容器および／または前記少なくとも１つの他の薬剤容器は、リザーバ、および前記リザーバからの薬剤を計量する計量器を備える、請求項１から１５のいずれかに記載の薬剤ディスペンサ。
【請求項１７】
前記計量器は、少なくとも１つの計量空孔または計量室を備える、請求項１６に記載の薬剤ディスペンサ。
【請求項１８】
前記計量室は、リザーバからの計量のために、前記リザーバとの流体連絡に可逆的に移動可能である、請求項１７に記載の薬剤ディスペンサ。
【請求項１９】
組合せ生成物として患者に搬送される前に、放出された薬剤成分を混合する混合手段をさらに備える、請求項１から１８のいずれかに記載の薬剤ディスペンサ。
【請求項２０】
前記混合手段が、前記第１薬剤容器および前記少なくとも１つの他の薬剤容器からの薬剤を受けるための入口と、患者に搬送するために組合せ薬剤生成物を搬送するための出口とを含む混合室を備える、請求項１９に記載の薬剤ディスペンサ。
【請求項２１】
各薬剤容器から放出可能な薬剤生成物の量を変更するために、前記電子制御システムに応答する可変放出手段をさらに備える、請求項１から２０のいずれかに記載の薬剤ディスペンサ。
【請求項２２】
前記可変放出手段が、前記第１薬剤容器および前記少なくとも１つの他の薬剤容器から内容物を放出する時間を制御するタイミング制御システムを含む、請求項２１に記載の薬剤ディスペンサ。
【請求項２３】
前記第１薬剤容器および／または前記少なくとも１つの他の薬剤容器と関連付けられた作動インジケータをさらに備える、請求項１から２２のいずれかに記載の薬剤ディスペンサ。
【請求項２４】
前記作動インジケータが、電磁放射、磁場、光、運動、温度、圧力、音声、酸素濃度、二酸化炭素濃度、および湿度からなる群から選択される要素に感知し得る作動センサを備える、請求項２３に記載の薬剤ディスペンサ。
【請求項２５】
前記薬剤ディスペンサが、吸入装置の形態にある、請求項１から２４のいずれかに記載の薬剤ディスペンサ。
【請求項２６】
前記吸入装置が、リザーバ乾燥粉末吸入器（ＲＤＰＩ）、複数投与乾燥粉末吸入器（ＭＤＰＩ）、計量投与吸入器（ＭＤＩ）、ならびに液体噴霧吸入器（ＬＳＩ）、およびその混合物からなる群から選択される装置の形態にある、請求項２５に記載の薬剤ディスペンサ。
【請求項２７】
前記組合せ薬剤生成物を患者の気道に搬送するための単一の出口を備える、請求項２５または２６のどちらかに記載の薬剤ディスペンサ。
【請求項２８】
患者の吸い込む呼吸に応答して作動可能である、請求項２５から２７のいずれかに記載の薬剤ディスペンサ。
【請求項２９】
前記吸い込む呼吸を検出する呼吸センサを含み、前記呼吸センサは前記電子制御システムと通信する、請求項２８に記載の薬剤ディスペンサ。
【請求項３０】
前記呼吸センサが、患者の前記吸い込む呼吸に応答して可動である呼吸可動要素を備える、請求項２９に記載の薬剤ディスペンサ。
【請求項３１】
前記呼吸センサが、患者の前記吸い込む呼吸に関連する圧力プロファイルを感知する圧力センサ、患者の前記吸い込む呼吸に関連する気流プロファイルを感知する気流センサ、患者の前記吸い込む呼吸に関連する温度プロファイルを感知する温度センサ、患者の前記吸い込む呼吸に関連する湿度プロファイルを感知する湿度センサ、患者の前記吸い込む呼吸に関連する酸素または二酸化炭素のプロファイルを感知する気体センサ、およびその任意の混合物からなる群から選択される、請求項２９に記載の薬剤ディスペンサ。
【請求項３２】
前記第１薬剤容器が、第１薬剤成分を包含し、前記少なくとも１つの他の薬剤容器が、少なくとも１つの他の薬剤成分を包含する、請求項１から３１のいずれか１項に記載の薬剤ディスペンサ。
【請求項３３】
前記第１薬剤成分が、気管支拡張剤を備え、前記少なくとも１つの他の薬剤成分が、抗炎症剤を備える、請求項３２に記載の薬剤ディスペンサ。
【請求項３４】
前記気管支拡張剤が、ベータアゴニストであり、前記抗炎症剤が、ステロイドである、請求項３３に記載の薬剤ディスペンサ。
【請求項３５】
前記気管支拡張剤が、サルブタモール、サルメテロール、ホルモテロール、ならびにその任意の塩または溶媒化合物、およびその混合物からなる群から選択される、請求項３４に記載の薬剤ディスペンサ。
【請求項３６】
前記抗炎症剤が、ベクロメタゾンエステル、フルチカゾンエステル、ブデソニド、ならびにその塩または溶媒化合物、およびその混合物からなる群から選択される、請求項３４または３５のどちらかに記載の薬剤ディスペンサ。